(57)【特許請求の範囲】
【請求項１】
動画を複数の記録媒体に跨ってリレー記録するように制御するとともに、前記リレー記録で記録されたリレー動画を構成する複数の動画ファイルの代表画像を、前記複数の動画ファイルが記録された記録媒体とは異なる第３の記録媒体に記録するように制御する記録制御手段と、
リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込手段と、
前記第１の記録媒体に記録された複数の画像を表示する一覧画面において、前記第１の動画ファイルを含む該第１の記録媒体に記録された複数の画像と、前記第２の動画ファイルの代表画像とを、前記第２の記録媒体にアクセスできない場合にも前記第３の記録媒体から読みだして表示手段に一覧表示するように制御する表示制御手段と、
前記一覧画面に表示すべき前記第１の記録媒体に記録された動画ファイルが、リレー動画を構成する動画ファイルであるか否かを判定する判定手段とを有し、
前記読込手段は、前記一覧画面に表示すべき第１の記録媒体に記録された動画ファイルが、リレー動画を構成する動画ファイルであると判定された場合に、当該動画ファイルと同じリレー動画を構成する前記第２の動画ファイルの代表画像を前記第３の記録媒体から読み出し、
前記表示制御手段は、前記第１の記録媒体に記録された動画ファイルのうち前記リレー動画を構成する動画ファイルと判定されなかった動画ファイルの代表画像と、前記第１の記録媒体に記録された動画ファイルのうち前記リレー動画を構成する動画であると判定された動画ファイルの代表画像と、前記リレー動画を構成すると判定された動画ファイルと同じリレー動画の構成要素であり、前記第３の記録媒体から読み出した前記第２の動画ファイルの代表画像とを、前記一覧画面にともに表示し、該一覧画面において、前記第２の記録媒体に記録された動画ファイルのうち、前記第１の記録媒体に記録された動画と同じリレー動画を構成する動画ファイル以外に関する代表画像は表示しないように制御することを特徴とする再生装置。
【請求項２】
前記表示制御手段は、リレー動画における前記第１の動画ファイルと前記第２の動画ファイルとの順序に従った配置で、前記第２の動画ファイルの代表画像を前記一覧画面に表示するように制御することを特徴とする請求項１に記載の再生装置。
【請求項３】
前記表示制御手段は、前記第２の記録媒体にアクセスできない場合には、前記第２の記録媒体にアクセスできない旨の表示情報と共に前記第２の動画ファイルの代表画像を表示するように制御することを特徴とする請求項１または２に記載の再生装置。
【請求項４】
前記表示制御手段は、前記一覧画面において、前記第２の動画ファイルが前記第２の記録媒体に記録されていることを示す表示情報と共に前記第２の動画ファイルの代表画像を表示するように制御することを特徴とする請求項１乃至３の何れか１項に記載の再生装置。
【請求項５】
記録媒体を装着可能な装着部を複数有することを特徴とする請求項１乃至４の何れか１項に記載の再生装置。
【請求項６】
記録媒体を装着可能な少なくとも１つの装着部と、内蔵の記録媒体とを有することを特徴とする請求項１乃至５の何れか１項に記載の再生装置。
【請求項７】
各動画ファイルの代表画像を前記内蔵の記録媒体に記録する記録手段を有することを特徴とする請求項６に記載の再生装置。
【請求項８】
動画を撮影する撮影手段を更に有し、
前記記録制御手段は、前記撮影手段で撮影された動画を記録するように制御することを特徴とする請求項１乃至７の何れか１項に記載の再生装置。
【請求項９】
動画を複数の記録媒体に跨ってリレー記録するように制御するとともに、前記リレー記録で記録されたリレー動画を構成する複数の動画ファイルの代表画像を、前記複数の動画ファイルが記録された記録媒体とは異なる第３の記録媒体に記録するように制御する記録制御ステップと、
リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込ステップと、
前記第１の記録媒体に記録された複数の画像を表示する一覧画面において、前記第１の動画ファイルを含む該第１の記録媒体に記録された複数の画像と、前記第２の動画ファイルの代表画像とを、前記第２の記録媒体にアクセスできない場合にも前記第３の記録媒体から読みだして表示手段に一覧表示するように制御する表示制御ステップと、
前記一覧画面に表示すべき前記第１の記録媒体に記録された動画ファイルが、リレー動画を構成する動画ファイルであるか否かを判定ステップとを有し、
前記読込ステップは、前記一覧画面に表示すべき第１の記録媒体に記録された動画ファイルが、リレー動画を構成する動画ファイルであると判定された場合に、当該動画ファイルと同じリレー動画を構成する前記第２の動画ファイルの代表画像を前記第３の記録媒体から読み出し、
前記表示制御ステップは、前記第１の記録媒体に記録された動画ファイルのうち前記リレー動画を構成する動画ファイルと判定されなかった動画ファイルの代表画像と、前記第１の記録媒体に記録された動画ファイルのうち前記リレー動画を構成する動画であると判定された動画ファイルの代表画像と、前記リレー動画を構成すると判定された動画ファイルと同じリレー動画の構成要素であり、前記第３の記録媒体から読み出した前記第２の動画ファイルの代表画像とを、前記一覧画面にともに表示し、該一覧画面において、前記第２の記録媒体に記録された動画ファイルのうち、前記第１の記録媒体に記録された動画と同じリレー動画を構成する動画ファイル以外に関する代表画像は表示しないように制御することを特徴とする再生装置の制御方法。
【請求項１０】
コンピュータを、請求項１乃至８の何れか１項に記載された再生装置の各手段として機能させるためのプログラム。
【請求項１１】
コンピュータを、請求項１乃至８の何れか１項に記載された再生装置の各手段として機能させるためのプログラムを格納したコンピュータが読み取り可能な記憶媒体。
【発明の詳細な説明】
【技術分野】
【０００１】
本発明は再生装置及び再生装置の制御方法に関するものである。
【背景技術】
【０００２】
近年では、着脱可能なメモリーカードと大容量内蔵メモリを備えたハイブリッドカムコーダーが多くの機種が製品化され、普及してきている。このような製品では、メモリーカードか内蔵メモリのいずれかに録画するかをユーザーが選択することができる。また撮影したコンテンツを一方から他方へコピー・移動することが可能である。
【０００３】
また、撮影を行う際に、ユーザーの選択した記録媒体が装着されていないか、または残量不足である場合に、記録開始時に自動的に他の記録媒体に記録を行う機能を持つものがある。また、ユーザーの選択した記録媒体に撮影中、残量が所定量以下となると自動的に他の記録媒体に記録を開始する機能を持つものもある。この場合、ひとつのコンテンツが、ユーザーの選択した記録媒体と他の記録媒体にまたがって記録される。このようなコンテンツを再生する際に、コンテンツが複数の記録媒体にまたがって記録されていることを容易に認識可能とする機能をもつ技術もある。このような技術が、特許文献１に記載されている。
【先行技術文献】
【特許文献】
【０００４】
【特許文献１】特開２００５−１７４３９０号公報
【発明の概要】
【発明が解決しようとする課題】
【０００５】
しかしながら、特許文献１の発明では、ひとつのコンテンツを複数の記録媒体にまたがって記録した場合に、記録媒体に記録されているシーンが複数の記録媒体にまたがって記録されたコンテンツの一部であることは分かる。しかし、コンテンツが全部で何シーンに分かれていて、さらに、そのシーンが何シーン目にあたるのか分からないという問題点があった。
本発明は前述の問題点に鑑み、ひとつのコンテンツを複数の記録媒体にまたがって記録した場合であっても、全部で何ファイルに分かれて記録されているコンテンツの何ファイル目なのかを容易に認識できるようにすることを目的とする。
【課題を解決するための手段】
【０００６】
本発明の再生装置は、動画を複数の記録媒体に跨ってリレー記録するように制御するとともに、前記リレー記録で記録されたリレー動画を構成する複数の動画ファイルの代表画像を、前記複数の動画ファイルが記録された記録媒体とは異なる第３の記録媒体に記録するように制御する記録制御手段と、リレー記録により複数の記録媒体に跨って記録されたリレー動画を構成する、第１の記録媒体に記録された第１の動画ファイルと第２の記録媒体に記録された第２の動画ファイルとのうち、前記第１の動画ファイルが記録された前記第１の記録媒体からデータを読み込み可能な読込手段と、前記第１の記録媒体に記録された複数の画像を表示する一覧画面において、前記第１の動画ファイルを含む該第１の記録媒体に記録された複数の画像と、前記第２の動画ファイルの代表画像とを、前記第２の記録媒体にアクセスできない場合にも前記第３の記録媒体から読みだして表示手段に一覧表示するように制御する表示制御手段と、前記一覧画面に表示すべき前記第１の記録媒体に記録された動画ファイルが、リレー動画を構成する動画ファイルであるか否かを判定する判定手段とを有し、前記読込手段は、前記一覧画面に表示すべき第１の記録媒体に記録された動画ファイルが、リレー動画を構成する動画ファイルであると判定された場合に、当該動画ファイルと同じリレー動画を構成する前記第２の動画ファイルの代表画像を前記第３の記録媒体から読み出し、前記表示制御手段は、前記第１の記録媒体に記録された動画ファイルのうち前記リレー動画を構成する動画ファイルと判定されなかった動画ファイルの代表画像と、前記第１の記録媒体に記録された動画ファイルのうち前記リレー動画を構成する動画であると判定された動画ファイルの代表画像と、前記リレー動画を構成すると判定された動画ファイルと同じリレー動画の構成要素であり、前記第３の記録媒体から読み出した前記第２の動画ファイルの代表画像とを、前記一覧画面にともに表示し、該一覧画面において、前記第２の記録媒体に記録された動画ファイルのうち、前記第１の記録媒体に記録された動画と同じリレー動画を構成する動画ファイル以外に関する代表画像は表示しないように制御することを特徴とする。
【発明の効果】
【０００７】
本発明によれば、ひとつのコンテンツを複数の記録媒体にまたがって記録した場合であっても、その記録媒体に記録されているそのファイルが、全部で何ファイルに分かれて記録されているコンテンツの何ファイル目なのかを容易に認識することが可能となる。
また、本発明の他の特徴によれば、１つのメディアだけで、リレー記録シーン全体を把握できるようにすることができる。
【図面の簡単な説明】
【０００８】
【図１】本発明の実施形態に関する記録再生装置の構成例を示すブロック図である。
【図２】第１の実施形態の記録動作を説明するフローチャートである。
【図３】リレー記録情報の構成を示す図である。
【図４】第１の実施形態の再生動作を説明するフローチャートである。
【図５】第１の実施形態の画面表示の一例を示す図である。
【図６】第２の実施形態の再生動作を説明するフローチャートである。
【図７】第２の実施形態の画面表示の一例を示す図である。
【図８】第２の実施形態の画面表示の一例を示す図である。
【発明を実施するための形態】
【０００９】
＜ハードウェア＞
図１に、本発明を適用可能な記録再生装置１００の構成の一例を示す。
図１において、主制御部１０１、メモリ１０２、不揮発性メモリ１０３、画像処理部１０４、表示部１０５、カメラ部１０６、操作入力部１０７、内蔵メモリ１０８、第１の記録媒体装着部１０９、第２の記録媒体装着部１１０が内部バス１５０に接続されている。内部バス１５０に接続される各部は、内部バス１５０を介して互いにデータのやりとりを行うことができるようにされている。
【００１０】
主制御部１０１は、例えば不揮発性メモリ１０３に格納されるプログラムに従い、メモリ１０２をワークメモリとして用いて、記録再生装置１００の各部を制御する。不揮発性メモリ１０３には、画像データや音声データ、リレー記録情報、その他のデータ、主制御部１０１が動作するための各種プログラムなどが格納される。不揮発性メモリ１０３は、例えばハードディスク（ＨＤ）やＲＯＭなどで構成される。メモリ１０２は、例えばＲＡＭ（半導体素子を利用した揮発性のメモリなど）からなる。
【００１１】
画像処理部１０４は、主制御部１０１の制御に基づいて、不揮発性メモリ１０３や内蔵メモリ１０８に格納された画像データに対して各種画像処理を施す。画像処理部１０４が行う画像処理には、Ａ/Ｄ変換処理、Ｄ/Ａ変換処理、画像データの符号化処理、圧縮処理、デコード処理、拡大／縮小処理（リサイズ）、ノイズ低減処理、色変換処理などが含まれる。
【００１２】
画像処理部１０４は、特定の画像処理を施すための専用の回路ブロックで構成してもよい。また、画像処理の種別によっては画像処理部１０４を用いずに主制御部１０１がプログラムに従って画像処理を施すことも可能である。表示部１０５は、主制御部１０１の制御に基づいて、画像やＧＵＩ(Graphical User Interface)を構成するＧＵＩ画面などを表示する。
【００１３】
主制御部１０１は、プログラムに従い表示制御信号を生成し、表示部１０５に表示するための映像信号を生成して表示部１０５に出力するように記録再生装置１００の各部を制御する。表示部１０５は、出力された映像信号に基づいて映像を表示する。なお、記録再生装置１００自体が備える構成としては表示部１０５に表示させるための映像信号を出力するためのインターフェースまでとし、表示部１０５は外付けのモニタ（テレビなど）で構成してもよい。
【００１４】
操作入力部１０７は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、表示部１０５に重ね合わせて平面的に構成され、接触された位置に応じた座標情報が出力されるようにした入力デバイスである。
【００１５】
記録媒体装着部１０９、１１０は、メモリーカードやＣＤ、ＤＶＤといった外部記録媒体１１３、１１４が装着可能とされている。そして、主制御部１０１の制御に基づき、装着された外部記録媒体１１３、１１４からのデータの読み出しや、その内蔵メモリに対するデータの書き込みなどの情報記録を行う。
【００１６】
第１の記録媒体装着部１０９は、メモリーカードやＣＤ、ＤＶＤといった第１の外部記録媒体１１３が装着可能とされたことを検出するための第１の装着検出部１１１を有している。そして、主制御部１０１の制御に基づき、装着された第１の外部記録媒体１１３からのデータの読み出しや、その第１の外部記録媒体１１３に対するデータの書き込みを行う。
【００１７】
第２の記録媒体装着部１１０は、前述と同様にメモリーカードやＣＤ、ＤＶＤといった第２の外部記録媒体１１４が装着可能とされたことを検出するための第２の装着検出部１１２を有している。そして、主制御部１０１の制御に基づき、装着された第２の外部記録媒体１１４からのデータの読み出しや、その第２の外部記録媒体１１４に対するデータの書き込みを行う。
【００１８】
以下の実施形態において、リレー動画とは、カメラのＲｅｃボタンを押して記録を開始してから再度Ｒｅｃボタンを押して記録終了するまでにリレー記録された一連の動画ファイルのことを示す。また、カメラでの動画記録ではない場合は、動画記録開始指示がされてから動画の記録終了指示がされるまでにリレー記録された一連の動画ファイルのこととし、複数の動画ファイル（リレーファイル）より構成される。
リレー記録とは、動画の記録中に記録媒体の容量が減ってくると、自動的に記録先を他の記録媒体に切り替えて動画の記録を継続する記録方法のことである。
リレーファイルとは、リレー動画を構成する各動画ファイルのことである。
リレー記録情報とは、後述する図３に記載の情報であり、不揮発性メモリ１０３に記録されている情報である。リレー動画毎に１つのＩＤを持っていて、１つのＩＤ（１つのリレー動画）の中に、それを構成する複数のリレーファイルに関する情報が記録されている。リレーファイル毎に［リレー記録順番号、記録媒体ＩＤ、ファイル番号、代表画像（静止画）］のセットの情報が記録されている。
【００１９】
＜第１の実施形態＞
本発明の第１の実施形態について説明する。
まず、図２を用いて、本実施形態の記録再生装置１００における記録時の動作を説明する。図２は、記録動作時に行なわれる動画ファイルの識別情報を作成する識別情報作成処理、動画ファイルの代表画像を作成する代表画像作成処理などを説明するフローチャートであり、動作手順をＳ２０１からＳ２０９で示している。本実施形態では、一つのコンテンツを三つの記録媒体に記録することが可能な記録装置を用いている。ユーザーが記録先として選択している記録媒体を第一記録媒体（内蔵メモリ１０８）とする。また、第一リレー記録先として選択している記録媒体を第二記録媒体（第１の外部記録媒体１１３）、第二リレー記録先として選択している記録媒体を第三記録媒体（第２の外部記録媒体１１４）とする。
【００２０】
まず、主制御部１０１は、ユーザー操作によって記録開始が指示された場合に内蔵メモリ１０８にリレー動画の記録を開始する（Ｓ２０１）。この際に、主制御部１０１はリレー記録情報作成処理を行う（Ｓ２０２）。作成されたリレー記録情報（リレー記録ID、リレー記録数、リレー記録順番号、記録媒体ID、ファイル番号、代表画像）は記録媒体（不揮発性メモリ１０３）へ記録される。リレー記録情報の詳細は図３を用いて後述する。
【００２１】
そして、内蔵メモリ１０８への記録を行いながら、内蔵メモリ１０８の現在の空き容量と記録中のリレー動画の画質設定に基づく残り記録可能時間が所定の閾値以上であるか否かを判定する（Ｓ２０３）。閾値以上の場合にはユーザー操作によって記録停止が指示されたか否かを判定する（Ｓ２０４）。記録停止が指示された場合には記録を停止し（Ｓ２０５）、本フローチャートによる制御を停止する。
【００２２】
また、内蔵メモリ１０８の残り記録可能時間が所定の閾値未満の場合には、内蔵メモリ１０８への記録を停止してＳ２０６に進む。Ｓ２０６においては、第二記録媒体である第１の外部記録媒体１１３が第１の記録媒体装着部１０９へ装着されているか否か判定する。装着されている場合にはＳ２０７に進んで第１の外部記録媒体１１３への記録を開始する。これにより、今までリレー動画の記録を行っていた記録媒体への記録を停止するとともに、他の記録媒体への記録を開始する。以降、この動作をリレー記録制御という。この際に、主制御部１０１はＳ２０２で記録したリレー記録ＩＤのリレー記録情報の続きとして、第１の外部記録媒体１１３へ記録するリレーファイルについての情報（リレー記録順番号、記録媒体ID、ファイル番号、代表画像）を作成する。そして、不揮発性メモリ１０３に記録する（Ｓ２０８）。また、リレー記録数に１を加算する。
【００２３】
以降、Ｓ２０３、Ｓ２０４、Ｓ２０７、Ｓ２０８と同様に、第１の外部記録媒体１１３への記録を行いながら、第１の外部記録媒体１１３の残り記録可能時間が所定の閾値以上であるか否かを判定する（Ｓ２０９）。閾値以上の場合には、ユーザー操作によって記録停止が指示されたか否かを判定する（Ｓ２１０）。記録停止が指示された場合には記録を停止し（Ｓ２０５）、本フローチャートによる制御を停止する。また、Ｓ２０９の判定において、第１の外部記録媒体１１３の残り記録可能時間が所定の閾値未満の場合には、リレー記録可能な記録媒体、この場合は第２の外部記録媒体１１４が装着されているか否か判定する（Ｓ２０６）。
【００２４】
装着されている場合には、第１の外部記録媒体１１３への記録を停止し、第２の外部記録媒体１１４への記録を開始する（Ｓ２０７）。この際に、主制御部１０１は現在記録しているリレー動画のリレー記録ＩＤのリレー記録情報の続きとして、第２の外部記録媒体１１４へ記録するリレーファイルについての情報（リレー記録順番号、記録媒体ID、ファイル番号、代表画像）を作成する。そして、不揮発性メモリ１０３に記録する（Ｓ２０８）。また、リレー記録数に１を加算する。
【００２５】
このように、複数の記録媒体に対して一つのコンテンツ（リレー動画）を連続して記録していく。Ｓ２０９で第２の外部記録媒体１１４の残り記録可能時間が所定の閾値未満と判定したり、Ｓ２１０でユーザー操作によって記録停止が指示されたと判定したりした場合には、第２の外部記録媒体１１４への記録を停止し、本フローチャートによる制御を停止する。ここでは、記録開始時やリレー記録時にリレー記録情報を作成しているが、例えばリレー記録を行わなかった場合にリレー記録ＩＤの変更等を行うなど、記録中や、記録停止時にリレー記録情報の作成を行ってもよい。
【００２６】
ここで、Ｓ２０２およびＳ２０８で作成されるリレー記録情報について、図３を用いて説明する。
図３は、リレー記録情報媒体（不揮発性メモリ１０３）に記録されるリレー記録情報の一例を示す図である。全体の構成としては、リレー記録ＩＤ（３０１）毎に、一つのリレー記録数（３０２）とリレー記録数分のリレー記録順番号（３０３）と記録媒体ＩＤ（３０４）、ファイル番号（３０５）、代表画像（３０６）のセットで構成される。
【００２７】
リレー記録ＩＤ（３０１）は、一つのリレー動画が複数の記録媒体に分かれて記録された場合に、画像データ間の関連を保障するものである。ユーザー操作により記録開始され、記録停止するまでで一つのリレー記録ＩＤ（３０１）を使用する。また、一つのリレー動画が一つの記録媒体に記録されている場合には、例えば"０"のような無効なリレー記録ＩＤ（３０１）とするＩＤを付与してもよい。
【００２８】
リレー記録数（３０２）は、一つのリレー動画が何個の記録媒体に分かれて記録されているかを示す数字である。
リレー記録順番号（３０３）は、その記録媒体に記録されているリレー記録されたファイル（リレー動画を構成する各動画ファイル）が、全体の何番目かを示す情報である。
【００２９】
記録媒体ＩＤ（３０４）は、記録媒体毎にユニークとなるよう付与した情報である。メモリーカード等の着脱可能な記録媒体の場合は、初めて記録媒体に装着したとき、またはフォーマットしたときなどに主制御部が決定する情報である。規格上全てのものに個別のＩＤが書き込まれているものである場合、または無線ＩＤタグのような識別手段を有している場合にはそれを用いてもよい。
【００３０】
ファイル番号（３０５）は、リレー記録されたリレーファイルのうち、当該記録媒体に記録されているリレーファイルを示す番号である。
代表画像（３０６）は、記録開始時およびリレー記録時に、当該記録媒体に記録するリレー動画を代表する画像である。最初のフレームを代表画像としてもよいし、特徴的なフレームを代表画像としてもよい。
【００３１】
これらのリレー記録情報により、リレー記録されたリレー動画がいくつあるのか、リレー記録された一つのリレー動画がいくつの記録媒体に分かれて記録されているのか、どのような順番でどの記録媒体に記録されたのかを管理することができる。
【００３２】
ここまで説明してきたように、図２のフローチャートの制御を行うことにより、リレー記録されたリレー動画がいくつあるのか管理することができる。また、リレー記録された一つのリレー動画がいくつの記録媒体に分かれて記録されているのか、どのような順番でどの記録媒体に記録されたのか管理することができる。
【００３３】
次に、本実施形態の記録再生装置１００における再生時の動作を、図４を用いて説明する。
図４は、再生時の動作を説明するフローチャートである。本実施形態では、一つのコンテンツ（１つのリレー動画）を三つの記録媒体に記録したとする。そして、リレー記録した際に、最初に記録した記録媒体を内蔵メモリ１０８（第一記録媒体）とし、次に記録した記録媒体を第１の外部記録媒体１１３（第二記録媒体）、その次に記録した記録媒体を第２の外部記録媒体１１４（第三記録媒体）とする。さらに、複数の記録媒体から一つの記録媒体を選択し、選択された記録媒体に記録されている動画ファイルの代表画像を同一画面上に表示する場合について説明する。
【００３４】
まず、主制御部１０１は、選択されている記録媒体から表示すべき画像ファイル（動画または静止画）のファイル番号及び代表画像を取得する（Ｓ４０１）。
次に、取得した画像ファイルがリレー記録された動画ファイル（リレーファイル）か否かを判断する（Ｓ４０２）。
【００３５】
リレー記録された動画ファイルである場合は、不揮発性メモリ１０３に記録されたリレー記録情報より、同一のリレー記録ＩＤに含まれるリレーファイルの情報を取得する（Ｓ４０３）。そして、取得した各リレーファイルの代表画像を表示する（Ｓ４０４）。
【００３６】
また、Ｓ４０２の判断の結果、リレー記録された動画ファイルではなかった場合には、選択されている記録媒体から取得した動画ファイルの代表画像を表示する（Ｓ４０５）。
Ｓ４０４またはＳ４０５の処理の後は、Ｓ４０６において、１ページ分の表示が終わりか否かを判断する。終わりでない場合はＳ４０１に戻り、前述した動作を繰り返す。また、終わりの場合は、図４の処理を終了する。
【００３７】
次に、Ｓ４０２で行っている、画像ファイルがリレー記録された動画ファイルであるかを判断する処理を詳細に説明する。
まず、記録媒体の記録媒体ＩＤと、記録媒体における動画ファイルのファイル番号を参照して取得する。そして、リレー記録情報の記録媒体ＩＤとファイル番号の組とが合致するか検索する。これを一つのリレー記録ＩＤに管理されている複数の記録媒体ＩＤとファイル番号の組全てについて判定を行う。
【００３８】
複数回リレー記録を行い、リレー記録ＩＤが複数ある場合は、それぞれのリレーＩＤについて判定を行う。その結果、記録媒体ＩＤとファイル番号の組が合致した場合は動画ファイルはリレー記録された動画ファイルであると判定できる。反対に、合致しない場合は動画ファイルはリレー記録された動画ファイルでないと判定できる。このとき、記録媒体ＩＤとファイル番号の組が合致したものが含まれるリレー記録ＩＤを取得しておく。
【００３９】
次に、Ｓ４０４で行っている、リレー記録された順番に代表画像を表示する処理を詳細に説明する。
Ｓ４０１で取得した動画ファイルに記録されている代表画像を、リレー記録順番号の最若番から順に、リレー記録数分表示する。
【００４０】
Ｓ４０５では、あらかじめ作成されている代表画像を表示してもよいし、動画ファイルから代表画像を作成して表示してもよい。
【００４１】
次に、図４のフローチャートで説明した制御を行った際の記録媒体の表示画面の例を、図５に示す。
図５において、アイコン５０１は動画ファイルがリレー記録されたものであることを示す。アイコン５０２は、動画ファイルがリレー記録され、内蔵メモリ１０８に記録されていることを示す。アイコン５０３は、動画ファイルがリレー記録され、第１の外部記録媒体１１３に記録されていることを示す。アイコン５０４は、動画ファイルがリレー記録され、第２の外部記録媒体１１４に記録されていることを示す。
【００４２】
代表画像５０５および代表画像５０９は、リレー記録された動画ファイルではなく、当該記録媒体で完結して記録されている動画ファイルであることを示している。
代表画像５０６は、アイコン５０１とアイコン５０２が表示されているため、リレー記録された動画ファイルの一部であり、内蔵メモリ１０８に記録されていることが分かる。さらに、代表画像５０７、代表画像５０８の表示位置から、三つの記録媒体に分かれて記録されている画像データの内の一番目の部分であることが分かる。
【００４３】
代表画像５０７は、アイコン５０１とアイコン５０３が表示されているため、リレー記録された動画ファイルの一部であり、第１の外部記録媒体１１３に記録されていることが分かる。さらに、代表画像５０６、代表画像５０８の表示位置から、三つの記録媒体に分かれて記録されている画像データの内の二番目の部分であることが分かる。
【００４４】
代表画像５０８は、アイコン５０１とアイコン５０４が表示されているため、リレー記録された動画ファイルの一部であり、第２の外部記録媒体１１４に記録されていることが分かる。さらに、代表画像５０６、代表画像５０７の表示位置から、三つの記録媒体に分かれて記録されている動画ファイルの内の三番目の部分であることが分かる。
【００４５】
ここまで説明してきたように、図４のフローチャートの制御を行うことにより、リレー記録された動画ファイルがいくつあるのか認識することが可能である。また、リレー記録された一つの動画ファイルがいくつの記録媒体に分かれて記録されているのか、どのような順番でどの記録媒体に記録されたのかを容易に認識することが可能である。
前述した実施形態においては、三つの記録媒体へのリレー記録について説明したが、記録媒体の数は二つ以上であれば何個でもかまわない。
【００４６】
＜第２の実施形態＞
本発明の第２の実施形態について説明する。
本装置における記録時の動作は、第１の実施形態における記録時の動作と同様であるため、詳細な説明を省略する。
本装置における再生時の動作を図６を用いて説明する。図６は再生時の動作を説明するフローチャートであり、Ｓ６０１からＳ６１２の処理手順を有する。
【００４７】
本実施形態では、一つのコンテンツ（１つのリレー動画）を三つの記録媒体に記録したとして説明する。リレー記録した際に、最初に記録した記録媒体を内蔵メモリ１０８（第一記録媒体）とし、次に記録した記録媒体を第１の外部記録媒体１１３（第二記録媒体）とし、その次に記録した記録媒体を第２の外部記録媒体１１４（第三記録媒体）とする。さらに、複数の記録媒体から一つの記録媒体を選択し、選択された記録媒体に記録されている画像データの代表画像を同一画面上に表示する場合について説明する。
【００４８】
まず、主制御部１０１は、選択されている記録媒体から表示すべき画像ファイル（動画または静止画）のファイル番号及び代表画像を取得する（Ｓ６０１）。
そして、取得した画像ファイルがリレー記録された動画ファイルか否かを判定する（Ｓ６０２）。
リレー記録された動画ファイルであった場合には、リレー記録順番号ｎを初期値に設定する処理（ｎ＝１）を行う（Ｓ６０３）。
【００４９】
次に、不揮発性メモリ１０３に記録されたリレー記録情報より、同一のリレー記録ＩＤに含まれ、リレー記録順番号がｎのリレーファイルの情報を取得する（Ｓ６０４）。
【００５０】
次に、記録媒体ＩＤの記録媒体はアクセス可能であるか否かを判定する。このとき、第１の装着検出部１１１、第２の装着検出部１１２からの信号に基づいて判定する（Ｓ６０５）。アクセス不可能な場合はその旨を表すアイコンを表示するとともに、リレー記録情報から取得した代表画像を表示する（Ｓ６０６）。記録媒体にアクセス可能な場合は、記録媒体に記録されているリレーファイル本体にアクセス可能であるか否かを判定する（Ｓ６０７）。アクセス不可能な場合は、アクセス不可である旨の表示を行うとともに、リレー記録情報から取得した代表画像を表示する（Ｓ６０８）。
【００５１】
記録媒体に記録されているリレーファイルにアクセス可能な場合は、リレー記録情報から取得した記録媒体ＩＤに対応付けられて作成された代表画像を表示する（Ｓ６０９）。
次に、同一記録ＩＤに含まれるリレーファイルの代表画像を全て表示したか判定する（Ｓ６１０）。全ての代表画像を表示していない場合には、リレー記録順番号ｎを１つインクリメントし（Ｓ６１１）、Ｓ６０４に戻る。また、Ｓ６０２の判定において、リレー記録された画像ファイでなかった場合には、選択されている記録媒体から取得した代表画像を表示し、その後Ｓ６１３の処理に移行する（Ｓ６１２）。なお、代表画像の表示は、あらかじめ作成されている代表画像を表示してもよい。
１ページ分の表示が全て終了したか判断し（Ｓ６１３）、表示処理が終わったと判断するまで、Ｓ６０１からＳ６１３までの処理を何回か行い、表示処理が終わったところで本フローチャートによる制御を停止する。
【００５２】
次に、Ｓ６０２で行っている、動画ファイルがリレー記録されたものであるかを判定する処理を詳細に説明する。
まず、記録媒体の記録媒体ＩＤと、記録媒体における動画ファイルのファイル番号を取得する。そして、リレー記録情報の記録媒体ＩＤとファイル番号の組と合致するか検索する。これを一つのリレー記録ＩＤに管理されている複数の記録媒体ＩＤとファイル番号の組全てについて判定を行う。
【００５３】
複数回リレー記録を行い、リレー記録ＩＤが複数ある場合は、それぞれのリレーＩＤについて判定を行う。その結果、記録媒体ＩＤとファイル番号の組が合致した場合は、動画ファイルはリレー記録された動画ファイルであると判定できる。反対に、合致しない場合はリレー記録された動画ファイルでないと判定できる。このとき、記録媒体ＩＤとファイル番号の組が合致したものが含まれるリレー記録ＩＤを取得しておく。
【００５４】
次に、Ｓ６０５で行っている、記録媒体がアクセス可能であるか否か判定する処理を詳細に説明する。
まず、Ｓ６０４で取得したリレー記録ＩＤに対して処理が何回目かを求め、その回数をキーに、リレー記録情報のリレー記録順番号を検索する。そして、処理回数とリレー記録順番号が合致する配列に記録されている記録媒体ＩＤを取得する。取得した記録媒体ＩＤで示される記録媒体がアクセス可能か否か判定する。
【００５５】
ここで、記録媒体が装着されていないか、装着されていても電気的に接続していない場合は、記録媒体に何らかの障害が発生している等の場合にはアクセス不可と判定する。このとき、検索したリレー記録順番号を取得しておく。
【００５６】
次に、Ｓ６０６で行っている、記録媒体へアクセス不可である旨の表示処理を詳細に説明する。
まず、各リレーファイルに関連付けられている代表画像を表示し、さらに記録媒体へアクセス不可である旨の表示処理としてアイコンを表示する。アイコンの代わりに、代表画像を黒くしたり、グレー表示したり、代表画像を表示しないようにしたりするなどの表示処理を行ってもよい。
【００５７】
次に、Ｓ６０７で行っている、リレーファイル本体にアクセス可能であるか否か判定する処理を詳細に説明する。
まず、Ｓ６０４で取得したリレー記録順番号に関連付けられているファイル番号を取得する。取得したファイル番号で示される動画ファイルがアクセス可能か否か判定する。ここで、動画ファイルが削除されていたり、読込不可となるような設定をされていたりする等の場合にはアクセス不可と判断する。
【００５８】
次に、Ｓ６０８で行っている、リレーファイルへアクセス不可である旨の表示処理を詳細に説明する。
まず、リレーファイルへアクセス不可である旨の表示を行う。次に、リレー記録情報から取得した代表画像を表示し、さらにリレーファイルへアクセス不可である旨の表示処理としてアイコンを表示する。アイコンの代わりに、代表画像を黒くしたり、グレー表示したり、代表画像を表示しないようにしたりするなどの表示処理を行ってもよい。
【００５９】
次に、Ｓ６１０で行っている、同一記録ＩＤに含まれるリレーファイルの代表画像を全て表示したか判定する処理を詳細に説明する。
Ｓ６０４で取得したリレー記録ＩＤにおけるリレー記録数と、Ｓ６０１で取得したリレー記録順番号を比較する。リレー記録数が、リレー記録順番号より大きい場合はリレーファイルを全て表示していないと判定し、Ｓ６０４へ遷移する。反対に、リレー記録数が、リレー記録順番号と同じ、あるいは小さい場合はリレーファイルを全て表示したと判定する。
【００６０】
次に、図６のフローチャートの制御を行った際の記録媒体の表示画面の例を図７に示す。
図７において、アイコン７０１は動画ファイルがリレー記録されたものであることを示す。アイコン７０２は動画ファイルがリレー記録され、内蔵メモリ１０８に記録されていることを示す。アイコン７０３は動画ファイルがリレー記録され、第１の外部記録媒体１１３に記録されていることを示す。アイコン７０４は動画ファイルがリレー記録され、第２の外部記録媒体１１４に記録されていることを示す。アイコン７０５は記録媒体にアクセス不可であることを示す。アイコン７０６は動画ファイルにアクセス不可であることを示す。
【００６１】
代表画像７０７および代表画像７１１はリレー記録された動画ファイルではなく、当該記録媒体で完結して記録されている動画ファイルであることを示す。
代表画像７０８は、アイコン７０１とアイコン７０２が表示されているため、リレー記録された動画ファイルの一部であり、当該記録媒体である内蔵メモリ１０８に記録されていることが分かる。さらに、代表画像７０９、代表画像７０８の表示位置から、三つの記録媒体に分かれて記録されている動画ファイルの内の一番目の部分であることが分かる。
【００６２】
代表画像７０９は、アイコン７０１とアイコン７０３、アイコン７０５が表示されているため、リレー記録された動画ファイルの一部であり、内蔵メモリ１０８ではなく第１の外部記録媒体１１３に記録されていることを示す。また、第１の外部記録媒体１１３が装着されていない等の理由によりアクセス不可であることが分かる。さらに、代表画像７０８、代表画像７１０の表示位置から、三つの記録媒体に分かれて記録されている動画ファイルの内の二番目の部分であることが分かる。
【００６３】
代表画像７１０は、アイコン７０１とアイコン７０４、アイコン７０６が表示されているため、リレー記録された動画ファイルの一部であり、内蔵メモリ１０８ではなく第２の外部記録媒体１１４に記録されていることが分かる。さらに、第２の外部記録媒体１１４内に動画ファイルが削除されている等の理由によりアクセス不可であることが分かる。さらに、代表画像７０８、代表画像７０９の表示位置から、三つの記録媒体に分かれて記録されている動画ファイルの内の三番目の部分であることが分かる。
【００６４】
次に、図６のフローチャートの制御を行った際の記録媒体の表示画面のもう１つの例を図８に示す。
表示領域８０５は、例えば日付毎の動画ファイルの代表画像を、立体的に一覧表示する画面の例である。代表画像８０６、代表画像８０７、代表画像８０８、代表画像８０９の順に記録されていることを、代表画像の並びで示している。
【００６５】
代表画像８０７、代表画像８０８、代表画像８０９については、表示領域が前の代表画像と重なっている。ここでは、説明用に代表画像８０７の全体像として代表画像８０７ａ、代表画像８０８の全体像として代表画像８０８ａ、代表画像８０９の全体像として代表画像８０９ａを別途記載する。
【００６６】
アイコン８０１は、動画ファイルがリレー記録されたものであることを示す。アイコン８０２は動画ファイルがリレー記録され、内蔵メモリ１０８に記録されていることを示す。アイコン８０３は動画ファイルがリレー記録され、第１の外部記録媒体１１３に記録されていることを示す。アイコン８０４は動画ファイルがリレー記録され、第２の外部記録媒体１１４に記録されていることを示す。
【００６７】
代表画像８０６は、リレー記録された動画ファイルではなく、当該記録媒体で完結して記録されている動画ファイルである。
代表画像８０７ａは、アイコン８０１とアイコン８０２が表示されているため、リレー記録された動画ファイルの一部であり、当該記録媒体である内蔵メモリ１０８に記録されていることが分かる。さらに、代表画像８０８、代表画像８０９の表示位置から、三つの記録媒体に分かれて記録されている動画ファイルの内の一番目の部分であることが分かる。
【００６８】
代表画像８０８ａは、アイコン８０１とアイコン８０３、そして全体的に薄いグレーで表示されている。このため、リレー記録された動画ファイルの一部であり、当該記録媒体ではなく第１の外部記録媒体１１３に記録され、さらに第１の外部記録媒体１１３が装着されていない等の理由によりアクセス不可であることが分かる。さらに、代表画像８０７、代表画像８０９の表示位置から、三つの記録媒体に分かれて記録されている動画ファイルの内の二番目の部分であることが分かる。
【００６９】
代表画像８０９ａは、アイコン８０１とアイコン８０４、そして全体的に濃いグレーで表示されている。このため、リレー記録された動画ファイルの一部であり、当該記録媒体ではなく第２の外部記録媒体１１４に記録され、さらに第２の外部記録媒体１１４内に動画ファイルが削除されている等の理由によりアクセス不可であることが分かる。さらに、代表画像８０７、代表画像８０８の表示位置から、三つの記録媒体に分かれて記録されている動画ファイルの内の三番目の部分であることが分かる。
【００７０】
ここまで説明してきた図６のフローチャートの制御を行うことにより、リレー記録された動画ファイルがいくつあるのか、リレー記録された一つの動画ファイルがいくつの記録媒体に分かれて記録されているのか認識することが可能である。また、どのような順番でどの記録媒体に記録されたのか、それぞれの記録媒体や動画ファイルがアクセス可能かを容易に認識することが可能である。さらに、現在再生可能な状態にあるか否かを識別できるように表示することもできる。
【００７１】
前述した実施形態においては、三つの記録媒体へのリレー記録について説明したが、記録媒体の数は二つ以上であれば何個でもかまわない。
なお、リレー記録情報は、動画データを記録する各記録媒体全部に記録してもよい。やり方としては、各記録媒体について全容量を使い切らず、リレー記録情報分の所定容量だけ残して次の記録媒体にリレー記録するようにし、動画の記録を停止した場合にリレー記録情報を完成させ、全記録媒体に記録する。こうすれば再生時に他機器で再生した場合にも、１つの記録媒体だけを見て他の任意の記録媒体に記録されている複数の動画ファイルより構成されるリレー動画の情報がわかる。
【００７２】
例えば、再生する際に装着されていない記録媒体に記録された動画ファイルに関する情報については、当該記録媒体に記録されたリレー記録情報を参照することで取得する。そして、再生手段が現在読み取り対象としている記録媒体以外の記録媒体に記録されたリレー動画の動画ファイルがどの記録媒体に記録されているのかを順番がわかるように前述した同一画面に表示することが可能となる。
なお、前述した図４、図６のフローチャートは、マルチ表示の１ページ（１画面）分の表示手順を説明したが、ページの切換えがあれば再度処理を行うようにする。
【００７３】
以上、本発明をその好適な実施形態に基づいて詳述してきたが、本発明はこれら特定の実施形態に限られるものではなく、この発明の要旨を逸脱しない範囲の様々な形態も本発明に含まれる。前述の実施形態の一部を適宜組み合わせてもよい。例えば、記録装置と再生装置とを組み合わせて記録再生システムを構成してもよい。
【００７４】
（その他の実施形態）
本発明は、以下の処理を実行することによっても実現される。即ち、前述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【符号の説明】
【００７５】
１００  記録再生装置、１０１  主制御部、１０２  メモリ、１０３  不揮発性メモリ、１０４  画像処理部、１０５  表示部、１０６  カメラ部、１０７  操作入力部、１０８  内蔵メモリ、１０９  第１の記録媒体装着部、１１０  第２の記録媒体装着部、１１１  第１の装着検出部、１１２  第２の装着検出部、１１３  第１の外部記録媒体、１１４  第２の外部記録媒体
【図１】
0005762014.tif 000002
【図２】
0005762014.tif 000003
【図３】
0005762014.tif 000004
【図４】
0005762014.tif 000005
【図５】
0005762014.tif 000006
【図６】
0005762014.tif 000007
【図７】
0005762014.tif 000008
【図８】
0005762014.tif 000009